(57)【要約】      （修正有）【課題】複数の異なる大きさのメモリカードに対応したコネクタを提供する。【解決手段】第１のメモリカードと第１のメモリカードよりも幅の狭い第２のメモリカードとを接続するためのメモリカード用コネクタにおいて、下段部に設けられた第１のメモリカードの電極端子と接続する接続端子と、上段部に設けられた第２のメモリカードの電極端子と接続する接続端子と、長手方向の両端に屈曲部を有する板状の回転ガイド５０と、回転ガイドを下段部側から支持する受け部と、回転ガイドを支持する回転ガイド支持部を有し、第２のメモリカードが挿入された場合には、メモリカード用コネクタの上段部に挿入され、第１のメモリカードが挿入された場合には、回転ガイドが長手方向を軸として回転し、前記メモリカード用コネクタの下段部に挿入されることを特徴とするメモリカード用コネクタを提供することにより上記課題を解決する。【選択図】図２
2010267601.tif 000002
【特許請求の範囲】
【請求項１】
第１のメモリカードと前記第１のメモリカードよりも幅の狭い第２のメモリカードとを接続するためのメモリカード用コネクタにおいて、
前記メモリカード用コネクタの下段部に設けられた第１のメモリカードの電極端子と接続する接続端子と、
前記メモリカード用コネクタの上段部に設けられた第２のメモリカードの電極端子と接続する接続端子と、
長手方向の両端に屈曲部を有する板状の回転ガイドと、
前記回転ガイドを前記回転ガイドの長手方向において、前記下段部側から支持する受け部と、
前記回転ガイドを両側の前記屈曲部において支持する回転ガイド支持部と、を有し、
前記第２のメモリカードが挿入された場合には、前記メモリカード用コネクタの上段部に挿入され、前記第１のメモリカードが挿入された場合には、前記屈曲部が前記第１のメモリカードと接触することにより、前記回転ガイドが長手方向を軸として回転し、前記メモリカード用コネクタの下段部に挿入されることを特徴とするメモリカード用コネクタ。
【請求項２】
前記回転ガイド支持部は弾性を有する材料により形成されていることを特徴とする請求項１に記載のメモリカード用コネクタ。
【請求項３】
前記第１のメモリカードが挿入された場合には、前記回転ガイド支持部の先端部の間隔が広がるものであることを特徴とする請求項２に記載のメモリカード用コネクタ。
【請求項４】
前記回転ガイドの屈曲部と回転ガイド支持部との接触部分より先端領域に、前記回転ガイド支持部の双方の側に向く傾斜部が設けられていることを特徴とする請求項１から３のいずれかに記載のメモリカード用コネクタ。
【請求項５】
前記回転ガイドに設けられた屈曲部の間隔は、前記第１のメモリカードの幅よりも狭く、前記第２のメモリカードの幅よりも広いものであることを特徴とする請求項１から４のいずれかに記載のメモリカード用コネクタ。
【請求項６】
前記回転ガイドには、前記受け部と接触する部分において、長手方向に沿った筒状部が形成されており、前記第１のメモリカードが挿入された際には、前記回転ガイドは前記筒状部を軸として回転するものであることを特徴とする請求項１から５のいずれかに記載のメモリカード用コネクタ。
【請求項７】
第１のメモリカードと前記第１のメモリカードよりも幅の狭い第２のメモリカードとを接続するためのメモリカード用コネクタにおいて、
前記メモリカード用コネクタの下段部に設けられた第１のメモリカードの電極端子と接続する接続端子と、
前記メモリカード用コネクタの上段部に設けられた第２のメモリカードの電極端子と接続する接続端子と、
前記下段部における側面内側及び前記上段部における側面内側に連続して形成された傾斜部と、
長手方向の両端にスライド部及び接触部を有し、内側に挿入斜面部を有する板状のスライドガイドと、を有し、
前記スライドガイドは、前記下段部側に配置されており、前記スライド部が前記傾斜部に沿って移動可能なものであって、前記両端に形成された接触部の間隔は、前記第２のメモリカードの幅よりも狭く形成されており、
前記第２のメモリカードが挿入された場合には、前記スライドガイドの挿入斜面部に沿って挿入されることにより、前記上段部に挿入され、
前記第１のメモリカードが挿入された場合には、前記第１のメモリカードにより前記接触部が押されることにより、前記スライド部が前記傾斜部に沿って移動し、前記スライドガイドが前記上段部に移動することにより、前記第１のメモリカードは前記下段部に挿入されることを特徴とするメモリカード用コネクタ。
【請求項８】
前記スライドガイドは、メモリカード用コネクタに設けられたバネ部により、下段部側に押されていることを特徴とする請求項７に記載のメモリカード用コネクタ。
【請求項９】
前記傾斜部における傾斜の方向と前記挿入斜面部における傾斜の方向とは略同じ方向であることを特徴とする請求項７または８に記載のメモリカード用コネクタ。
【発明の詳細な説明】
【技術分野】
【０００１】
本発明は、メモリカード用コネクタに関するものであり、特に、複数の種類のメモリカードに適合したメモリカード用コネクタに関する。
【背景技術】
【０００２】
デジタルカメラ、携帯オーディオ機器、携帯電話機、電子複写機等の電子機器にはメモリカード用コネクタが組み込まれており、これらの電子機器においては、半導体記憶装置が内蔵されているメモリカードはメモリカード用コネクタに装着した状態で使用される。
【０００３】
現在、メモリカードは複数の種類のものが存在しており、これらは、長さ、幅、厚さの外形寸法が各々相違している。よって、電子機器において複数のメモリカードに対応するためには、各々のメモリカードに対応したコネクタを設ける必要がある。即ち、電子機器において第１のメモリカード専用の第１のメモリカード用コネクタと、第２のメモリカード専用の第２のメモリカード用コネクタを並べて組み込んだ構成とする必要がある。しかしながら、小型化や低コストが望まれる電子機器においては、メモリカード用コネクタを２つ以上組み込むことは望ましくない。
【０００４】
この問題を解決するためにメモリカード用コネクタとして、第１のメモリカード及び第２のメモリカードの双方に対応し装着可能な構成のメモリカード用コネクタが提案されている。
【先行技術文献】
【特許文献】
【０００５】
【特許文献１】特開２００６−１９６３０２号公報
【特許文献２】特開２００５−２０９５５０号公報
【特許文献３】特開２００２−２４７７１号公報
【発明の概要】
【発明が解決しようとする課題】
【０００６】
本発明は、簡単な構成で２種類以上のメモリカードを選択的に各々のメモリカードの接続部分に挿入可能なメモリカード用コネクタを提供することを目的とするものである。
【課題を解決するための手段】
【０００７】
本発明は、第１のメモリカードと前記第１のメモリカードよりも幅の狭い第２のメモリカードとを接続するためのメモリカード用コネクタにおいて、前記メモリカード用コネクタの下段部に設けられた第１のメモリカードの電極端子と接続される接続端子と、前記メモリカード用コネクタの上段部に設けられた第２のメモリカードの電極端子と接続される接続端子と、長手方向の両端に屈曲部を有する板状の回転ガイドと、前記回転ガイドを前記回転ガイドの長手方向において、前記下段部側から支持する受け部と、前記回転ガイドを両側の前記屈曲部において支持する回転ガイド支持部と、を有し、前記第２のメモリカードが挿入された場合には、前記メモリカード用コネクタの上段に挿入され、前記第１のメモリカードが挿入された場合には、前記屈曲部が前記第１のメモリカードと接触することにより、前記回転ガイドが長手方向を軸として回転し、前記メモリカード用コネクタの下段に挿入されることを特徴とする。
【０００８】
また、本発明は、前記回転ガイド支持部は弾性を有する材料により形成されていることを特徴とする。
【０００９】
また、本発明は、前記第１のメモリカードが挿入された場合には、前記回転ガイド支持部の先端部の間隔が広がるものであることを特徴とする。
【００１０】
また、本発明は、前記回転ガイドの屈曲部と回転ガイド支持部との接触部分より先端領域に、前記回転ガイド支持部の双方の側に向く傾斜部が設けられていることを特徴とする。
【００１１】
また、本発明は、前記回転ガイドに設けられた屈曲部の間隔は、前記第１のメモリカードの幅よりも狭く、前記第２のメモリカードの幅よりも広いものであることを特徴とする。
【００１２】
また、本発明は、前記回転ガイドには、前記受け部と接触する部分において、長手方向に沿った筒状部が形成されており、前記第１のメモリカードが挿入された際には、前記回転ガイドは前記筒状部を軸として回転するものであることを特徴とする。
【００１３】
また、本発明は、第１のメモリカードと前記第１のメモリカードよりも幅の狭い第２のメモリカードとを接続するためのメモリカード用コネクタにおいて、前記メモリカード用コネクタの下段部に設けられた第１のメモリカードの電極端子と接続する接続端子と、前記メモリカード用コネクタの上段部に設けられた第２のメモリカードの電極端子と接続する接続端子と、前記下段部における側面内側及び前記上段部における側面内側に連続して形成された傾斜部と、長手方向の両端にスライド部及び接触部を有し、内側に挿入斜面部を有する板状のスライドガイドと、を有し、前記スライドガイドは、前記下段部側に配置されており、前記スライド部が前記傾斜部に沿って移動可能なものであって、前記両端に形成された接触部の間隔は、前記第２のメモリカードの幅よりも狭く形成されており、前記第２のメモリカードが挿入された場合には、前記スライドガイドの挿入斜面部に沿って挿入されることにより、前記上段部に挿入され、前記第１のメモリカードが挿入された場合には、前記第１のメモリカードにより前記接触部が押されることにより、前記スライド部が前記傾斜部に沿って移動し、前記スライドガイドが前記上段部に移動することにより、前記第１のメモリカードは前記下段部に挿入されることを特徴とする。
【００１４】
また、本発明は、前記スライドガイドは、メモリカード用コネクタに設けられたバネ部により、下段部側に押されていることを特徴とする。
【００１５】
また、本発明は、前記傾斜部における傾斜の方向と前記挿入斜面部における傾斜の方向とは略同じ方向であることを特徴とする。
【発明の効果】
【００１６】
本発明によれば、簡単な構成で２種類以上のメモリカードを選択的に各々のメモリカードの接続部分に挿入可能なメモリカード用コネクタを提供することができる。
【図面の簡単な説明】
【００１７】
【図１】各種メモリカードの斜視図（１）
【図２】第１の実施の形態のメモリカード用コネクタの斜視図
【図３】第１の実施の形態のメモリカード用コネクタの本体部の斜視図
【図４】第１の実施の形態のメモリカード用コネクタのカバーの斜視図
【図５】第１の実施の形態のメモリカード用コネクタの回転ガイドの斜視図
【図６】回転ガイドとカバーの接合した状態の斜視図
【図７】図６における矢印Ａから見た拡大斜視図
【図８】第１の実施の形態のメモリカード用コネクタにおいて第２のメモリカードが挿入された状態の断面図
【図９】第１の実施の形態のメモリカード用コネクタにおいて第１のメモリカードが挿入された状態の断面図
【図１０】第２の実施の形態のメモリカード用コネクタの斜視図
【図１１】第２の実施の形態のメモリカード用コネクタの本体下段部の斜視図
【図１２】第２の実施の形態のメモリカード用コネクタの本体上段部の斜視図
【図１３】図１２における矢印Ｄから見た斜視図
【図１４】第２の実施の形態のメモリカード用コネクタのカバーの斜視図
【図１５】第２の実施の形態のメモリカード用コネクタのスライドガイドの斜視図
【図１６】図１０における矢印Ｅから見た斜視図
【図１７】第２の実施の形態のメモリカード用コネクタのカバーの要部斜視図
【図１８】第２の実施の形態のメモリカード用コネクタにおける第２のメモリカードの挿入方法の説明図（１）
【図１９】第２の実施の形態のメモリカード用コネクタにおける第２のメモリカードの挿入方法の説明図（２）
【図２０】第２の実施の形態のメモリカード用コネクタにおける第２のメモリカードの挿入方法の説明図（３）
【図２１】第２の実施の形態のメモリカード用コネクタにおける第１のメモリカードの挿入方法の説明図（１）
【図２２】第２の実施の形態のメモリカード用コネクタにおける第１のメモリカードの挿入方法の説明図（２）
【図２３】第２の実施の形態のメモリカード用コネクタにおける第１のメモリカードの挿入方法の説明図（３）
【図２４】第２の実施の形態のメモリカード用コネクタにおける第１のメモリカードの挿入方法の説明図（４）
【図２５】各種メモリカードの斜視図（２）
【図２６】第３の実施の形態のメモリカード用コネクタの斜視図
【図２７】第３の実施の形態のメモリカード用コネクタの内部構造の斜視図（１）
【図２８】第３の実施の形態のメモリカード用コネクタの内部構造の斜視図（２）
【図２９】第３の実施の形態のメモリカード用コネクタの内部構造の斜視図（３）
【図３０】図２９における裏面からの斜視図
【発明を実施するための形態】
【００１８】
本発明を実施するための形態について、以下に説明する。
【００１９】
〔第１の実施の形態〕
（メモリカード）
第１の実施の形態について説明する。最初に、図１に基づき本実施の形態におけるメモリカード用コネクタに装着される第１及び第２のメモリカードについて説明する。
【００２０】
図１（ａ）に示す第１のメモリカード１０は、ＳＤカード（商標）であり、幅Ｗ１が２４ｍｍ、長さＬ１が３２ｍｍ、厚さＴ１が２．１ｍｍの形状のものである。また第１のメモリカード１０の差込方向の先端側には電極端子１１が配列されている。
【００２１】
図１（ｂ）に示す第２のメモリカード２０は、メモリースティックＤｕｏ（商標）であり、幅Ｗ２が２０ｍｍ、長さＬ２が３１ｍｍ、厚さＴ２が１．６ｍｍの形状のものである。また第２のメモリカード２０の差込方向の先端側には電極端子２１が配列されている。
【００２２】
図１（ｃ）は、第１のメモリカード１０及び第２のメモリカード２０の幅、長さ、厚さを示す図である。幅、長さ、厚さの全てにおいて、第１のメモリカード１０よりも第２のメモリカード２０の方の値が小さく、第１のメモリカード１０と第２のメモリカード２０とは異なる形状のメモリカードである。
【００２３】
（メモリカード用コネクタ）
次に、図２に基づき本実施の形態におけるメモリカード用コネクタについて説明する。本実施の形態におけるメモリカード用コネクタは、本体部３０、カバー４０及び回転ガイド５０により構成されている。
【００２４】
本体部３０は、図３に示すように、第１のメモリカード１０が挿入される本体下段部と、第２のメモリカード２０が挿入される本体上段部との２段で構成されている。本体下段部には、第１のメモリカード１０の電極端子１１と接続される接続端子３１が設けられており、本体上段部には、第２のメモリカード２０の電極端子２１と接続される接続端子３２が設けられている。また、本体部３０の側面にはカバー４０を固定するためのロック部３３を有し、上面には後述するカバー４０の回転ガイド支持部が挿入される開口部３４を有している。また。第１のメモリカード１０及び第２のメモリカード２０が挿入される側の挿入口は１つの広い共通の挿入口となっており、さらに、本体下段部側には、回転ガイド５０を下側から支える回転ガイド受け部３５が設けられている。
【００２５】
図４に示すように、カバー４０は、略コの字状に形成されており、また、カバー４０には開口部４１が設けられており、本体部３０におけるロック部３３が挿入されることにより、本体部３０とカバー４０とが接合され固定される。また、カバー４０の第１のメモリカード１０及び第２のメモリカード２０が挿入される側には、回転ガイド５０を側部より支持するための回転ガイド支持部４２が両側に設けられており、回転ガイド支持部４２の先端部近傍には、各々回転ガイド５０と接触する接触部４３が設けられている。更に、回転ガイド支持部４２において、先端部となる接触部４３よりも更に先端には傾斜部４４が設けられている。この傾斜部４４は、互いに回転ガイド支持部４２の内側を向いており、この部分が傾斜した構造となっている。
【００２６】
また、本体部３０とカバー４０とは、本体部３０の上方よりカバー４０が嵌め合わされるが、この際、カバー４０の開口部４１に本体部３０のロック部３３が挿入され、また、カバー４０の回転ガイド支持部４２は、本体部３０の開口部３４より挿入される。
【００２７】
図５に示すように、回転ガイド５０は、略平板状に形成されており、また、長手方向に沿った長手方向に沿った一方の側部には筒状部５１に形成されており、この筒状部５１を軸に回転ガイド５０が回転することができるよう形成されている。また、長手方向に沿った他方の側部には、第１のメモリカード１０及び第２のメモリカード２０が挿入しやすいように曲部５２が設けられている。なお、本体部３０の本体上段部には、第１のメモリカード１０よりも幅の狭い第２のメモリカード２０が挿入されるため、曲部５２の長さは、回転ガイド５０の長手方向の長さよりも短く形成されている。
【００２８】
また、回転ガイド５０の長手方向の両端には、両側に屈曲部５３が設けられている。この屈曲部５３は、回転ガイド５０の一部を曲げることにより形成されている。２つの屈曲部５３の間隔Ｋは、第１のメモリカード１０の幅Ｗ１よりも狭く、かつ、第２のメモリカード２０の幅Ｗ２よりも広く形成されている。よって、メモリカードを挿入する際に、第２のメモリカード２０は、２つの屈曲部５３に接触することなく通過することができるが、第２のメモリカード２０よりも幅の広い第１のメモリカード１０は、回転ガイド５０の２つの屈曲部５３に接触する。
【００２９】
次に、図２、図６及び図７に基づき、回転ガイド５０と本体部３０及びカバー４０との接触部分について説明する。図６は、回転ガイド５０とカバー４０との接続状態を示す斜視図であり、図７は、図６における矢印Ａに示す方向より見た拡大斜視図である。
【００３０】
図２に示すように、回転ガイド５０は、本体部３０の両側に設けられた回転ガイド受け部３５において筒状部５１が支持されている。また、回転ガイド５０の曲部５２は本体部３０の本体上段部に第１のメモリカード１０が挿入されるように本体上段部の下側面と接している。また、回転ガイド受け部３５では、筒状部５１を軸として回転可能な状態で支持されており、筒状部５１を軸に回転することにより、回転ガイド５０が回転し、本体部３０の本体下段部が開くように構成されている。
【００３１】
また、図６及び図７に示すように、回転ガイド５０は屈曲部５３において、カバー４０の両側に設けられた回転ガイド支持部４２の接触部４３により、回転ガイド５０を挟み込むように支持されている。カバー４０は金属等の弾性を有する材料により形成されており、回転ガイド支持部４２は板バネとしての機能を有している。回転ガイド５０に力が加わり回転ガイド５０が筒状部５１を軸に回転した場合、回転ガイド５０の屈曲部５３との接点が、接触部４３より傾斜部４４に移動する。傾斜部４４は、回転ガイド支持部４２の先端に向かうに従い相互の間隔が狭まるような傾斜が形成されているため、回転ガイド５０の屈曲部５３との接点が移動することにより、回転ガイド支持部４２の先端部分が相互に広がる。
【００３２】
一方、第１のメモリカード１０が抜かれて、回転ガイド５０に加わる力がなくなると、回転ガイド支持部４２のバネ性により、回転ガイド５０の屈曲部５３との接点は、傾斜部４４より接触部４３に移動するように力が働き、これにより回転ガイド５０がもとの位置に戻る。
【００３３】
次に、本実施の形態におけるメモリカード用コネクタの挿入方法について説明する。
【００３４】
図８に基づき本実施の形態におけるメモリカード用コネクタに第２のメモリカード２０を挿入する場合を示す。第２のメモリカード２０の幅Ｗ２は、回転ガイド５０に設けられた双方の屈曲部５３の間隔Ｋよりも狭いため、回転ガイド５０の双方の屈曲部５３に接触することがない。このため、回転ガイド５０が回転することなく、第２のメモリカード２０は、矢印Ｂに示す方向より、メモリカード用コネクタの本体部３０の本体上段部に挿入され、接続端子３２と第２のメモリカード２０の電極端子２１とが接触し、メモリカード用コネクタに第２のメモリカード２０が接続される。
【００３５】
次に、図９に基づき本実施の形態におけるメモリカード用コネクタに第１のメモリカード１０を挿入する場合を示す。第１のメモリカード１０の幅Ｗ１は、回転ガイド５０に設けられた双方の屈曲部５３の間隔Ｋよりも広いため、挿入する際に回転ガイド５０の双方の屈曲部５３と接触する。よって、第１のメモリカード１０により回転ガイド５０の双方の屈曲部５３が押されて、筒状部５１を軸に回転ガイド５０が回転する。これにより、メモリカード用コネクタの本体部３０の本体下段部への入口が開き、第１のメモリカード１０は、矢印Ｃに示す方向より、メモリカード用コネクタの本体部３０の本体下段部に挿入され、接続端子３１と第１のメモリカード１０の電極端子１１とが接触し、メモリカード用コネクタに第１のメモリカード１０が接続される。
【００３６】
このように、回転ガイド５０は、本体部５０の本体下段部における扉の役割をしている。即ち、回転ガイド５０に設けられた双方の屈曲部５３の間隔Ｋよりも短いメモリカードが挿入された場合には、回転ガイド５０は開くことなく、メモリカードは本体部の本体上段部に挿入される。一方、回転ガイド５０に設けられた双方の屈曲部５３の間隔Ｋよりも長いメモリカードが挿入された場合には、回転ガイド５０が開き、本体部の本体下段部にメモリカードが挿入される。
【００３７】
尚、本実施の形態におけるメモリカード用コネクタは、ＭＭＣカード（商標）についても適用可能である。ＭＭＣカードの幅は２４ｍｍであり、第１のメモリカード１０として記載したＳＤカードの幅と同じであることから、第１のメモリカード１０が挿入される本体部３０の本体下段部に同様に挿入することが可能である。これにより、本実施の形態におけるメモリカード用コネクタは３種類のメモリカードに対応することも可能である。
【００３８】
〔第２の実施の形態〕
次に、第２の実施の形態について説明する。本実施の形態は、第１の実施の形態と同様に、第１のメモリカード及び第２のメモリカードの２種類のメモリカードに対応したメモリカード用コネクタである。
【００３９】
図１０に基づき本実施の形態におけるメモリカード用コネクタについて説明する。本実施の形態におけるメモリカード用コネクタは、本体部１２０、カバー１４０及びスライドガイド１５０により構成されている。
【００４０】
本体部１２０は、図１１に示す本体下段部１２１と、図１２に示す本体上段部１２２により形成されており、本体下段部１２１の上に本体上段部１２２を接合することにより一体化され本体部１２０が形成される。尚、図１３は、図１２における矢印Ｄに示す方向より見た斜視図である。
【００４１】
具体的には、本体上段部１２２の後部には２ヶ所の凸部１２３及び１２４が設けられており、本体下段部１２１の後部に設けられた開口部１２５及び１２６と嵌合するように構成されている。また、本体上段部１２２の前面の両側には、２ヶ所の突起部１２７及び１２８が設けられており、本体下段部１２１の前面の両側に設けられた対応する２ヶ所の接続部１２９及び１３０と接続されるように構成されている。従って、本体上段部１２２に設けられた２ヶ所の凸部１２３及び１２４と、本体下段部１２１に設けられた開口部１２５及び１２６とを嵌合し、本体上段部１２２に設けられた２ヶ所の突起部１２７及び１２８と、本体下段部１２１に設けられた２ヶ所の接続部１２９及び１３０とを接続することにより、一体化した本体部１２０となる。
【００４２】
また、本体下段部１２１は、第１のメモリカードの電極端子１１と接続される第１の接続端子１３１と、第２のメモリカードの電極端子１２と接続される第２の接続端子１３２とを有している。本体下段部１２１の側面にはカバー１４０と接続するための開口部１３３ａを有する接続部１３３が設けられており、本体上段部１２２の側面には開口部１３４ａを有する接続部１３４が設けられている。尚、本体下段部１２１と本体上段部１２２とが接合された状態では、本体下段部１２１における開口部１３３ａと本体上段部１２２における開口部１３４ａとは連通するよう構成されている。また、接続部１３３は本体下段部１２１の一方の側面に２ヶ所設けられており、両側面で計４ヶ所設けられている。また、接続部１３４は本体下段部１２１の一方の側面に２ヶ所設けられており、両側面で計４ヶ所設けられている。
【００４３】
更に、本体下段部１２１には傾斜部１３５が設けられており、本体上段部１２２には傾斜部１３６が設けられている。この傾斜部１３５及び傾斜部１３６は、後述するスライドガイド１５０を移動させるためのものであり、スライドガイド１５０は、傾斜部１３５及び傾斜部１３６に沿って斜め方向に移動させることが可能である。尚、本体下段部１２１と本体上段部１２２とが接合された状態では、本体下段部１２１における傾斜部１３５と本体上段部１２２における傾斜部１３６とは１つの傾斜を形成する。
【００４４】
また、本体上段部１２２には、側面近傍において、後述するカバー１４０におけるバネ部を通すための２ヶ所の開口部１３７が設けられている。更に、本体下段部１２１の側面には、カバー１４０と接続するためのロック部１３８が、一方の側面に３ヶ所ずつ、両側面で計６ヶ所設けられている。
【００４５】
カバー１４０は、図１４に示すように、略コの字状に形成されている。カバー１４０の側面には開口部１４１が設けられており、開口部１４１に本体下段部１２１におけるロック部１３８が挿入されることにより、本体部１３０とカバー１４０とが接合され固定される。この際、カバー１４０の側面に設けられた平板状の板状部１４２が、本体上段部１２２に設けられた接続部１３４の開口部１３４ａと本体下段部１２１に設けられた接続部１３３の開口部１３３ａとに挿入される。尚、本実施の形態においては、カバー１４０には、開口部１４１は一方の側面に３ヶ所ずつ設けられており、両側面で計６カ所設けられている。また、板状部１４２は一方の側面に２ヶ所ずつ設けられており、両側面で計４ヶ所設けられている。また、カバー１４０には、２つのバネ部１４３が設けられており、本体上段部１２２に設けられた開口部１３７内を通し、後述するスライドガイド１５０を押さえつけるように、力が加わるよう構成されている。
【００４６】
スライドガイド１５０は、図１５に示すように、スライド部１５１と、挿入斜面部１５２と、接触部１５３を有している。
【００４７】
スライド部１５１は、第１のメモリカード１０が挿入された際に、本体下段部１２１に形成された傾斜部１３５及び本体上段部１２２に形成された傾斜部１３６に沿って、スライドガイド１５０を本体上段部１２２側に移動させることができる。
【００４８】
挿入斜面部１５２は、第２のメモリカード２０が挿入された際に、スライドガイド１５０の挿入斜面部１５２に沿って第２のメモリカード２０を本体上段部１２２側に移動させるためのものである。
【００４９】
接触部１５３は、第１のメモリカード１０が挿入された際には、第１のメモリカード１０の先端と接触する部分であり、第１のメモリカード１０が挿入されることにより接触部１５３が押されて、スライドガイド１５０が移動する。尚、第２のメモリカード２０が挿入された場合には、第２のメモリカード２０は、第１のメモリカード１０に比べて幅が狭いため、第２のメモリカード２０と接触部１５３とは接触することなく、スライドガイド１５０が傾斜部１３５及び１３６に沿って移動することはない。従って、第２のメモリカード２０を挿入した場合、第２のメモリカード２０は、スライドガイド１５０の挿入斜面部１５２に沿って挿入される。
【００５０】
また、スライドガイド１５０は、カバー１４０に設けられたバネ部１４３により、本体下段部１２１側に位置するよう力が加えられている。このため、通常スライドガイド１５０は、本体下段部１２１側に位置している。具体的には、図１６に示すように、スライドガイド１５０の上部とバネ部１４３とが接触している。バネ部１４３は、バネ性を有しており、図１７に示すように、図面上、バネ部１４３の先端は上下方向に変位可能であり、スライドガイド１５０に対し下向きの力が加わるよう構成されている。尚、図１６は、図１０において矢印Ｅに示す方向から見た拡大斜視図である。また、本実施の形態では、本体下段部１２１及び本体上段部１２２に設けられた傾斜部１３５及び１３６における傾斜と、挿入斜面部１５２における傾斜は、略同じ角度で形成されている。即ち、傾斜の方向が略同じ方向となるように形成されている。同様に、スライド部１５１の傾斜の方向と挿入斜面部１５２における傾斜についても、略同じ方向となるように形成されている。
【００５１】
（メモリカード挿入方法）
次に、本実施の形態におけるメモリカード用コネクタの挿入方法について説明する。
【００５２】
図１８から図２０に基づき本実施の形態におけるメモリカード用コネクタに第２のメモリカード２０を挿入方法について説明する。図１８から図２０は、本実施の形態におけるメモリカード用コネクタに第２のメモリカード２０を挿入する場合の断面の状態を示すものである。
【００５３】
最初に、図１８に示すように、本実施の形態におけるメモリカード用コネクタに第２のメモリカード２０を矢印Ｆに示す方向に挿入する。第２のメモリカード２０は第１のメモリカード１０に比べ幅が狭いため、スライドガイド１５０における接触部１５３に接触することなく、挿入斜面部１５２に第２のメモリカード２０の先端部分が接触する。
【００５４】
この後、図１９に示すように、さらに矢印Ｆに示す方向に挿入することにより、第２のメモリカード２０の先端部分は、スライドガイド１５０の挿入斜面部１５２に沿って挿入され、本体上段部１２２側に移動する。
【００５５】
この後、図２０に示すように、さらに矢印Ｆに示す方向に挿入することにより、本体上段部１２２の内部に挿入され、第２のメモリカードの２０の電極端子２１は、本実施の形態におけるメモリカード用コネクタの第２の接続端子１３２と接触し電気的に接続される。尚、電極端子２１はバネ性を有しており、さらに矢印Ｆに示す方向に挿入することにより、電極端子２１により第２の接続端子１３２が押さえつけるように接続されるため、第２のメモリカードの２０の電極端子２１とメモリカード用コネクタの第２の接続端子１３２との接続をより確実なものとすることができる。
【００５６】
次に、図２１から図２４に基づき本実施の形態におけるメモリカード用コネクタに第１のメモリカード１０の挿入方法について説明する。図２１から図２４は、本実施の形態におけるメモリカード用コネクタに第１のメモリカード１０を挿入する場合の断面の状態を示すものである。
【００５７】
最初に、図２１に示すように、本実施の形態におけるメモリカード用コネクタに第１のメモリカード１０を矢印Ｇに示す方向に挿入する。第１のメモリカード１０は第２のメモリカード２０に比べ幅が広く、第１のメモリカード１０の先端部分が、スライドガイド１５０における接触部１５３に接触する。尚、２つの接触部１５３の間隔は、第２のメモリカード２０の幅Ｗ２よりも広く、また、第１のメモリカード１０の間隔Ｗ１よりも狭く形成されており、第１のメモリカード１０の先端部分が、２つの接触部１５３の両側に接触するように形成されている。
【００５８】
この後、図２２及び図２３に示すように、さらに矢印Ｇに示す方向に挿入することにより、第１のメモリカード１０の先端部分より、スライドガイド１５０の接触部１５３が押され、スライド部１５１は、本体下段部１２１の傾斜部１３５及び、本体上段部１２２の傾斜部１３６に沿って、本体上段部１２２側に移動する。これにより、スライドガイド１５０は、本体下段部１２１より本体上段部１２２側に移動する。
【００５９】
この後、図２４に示すように、さらに矢印Ｇに示す方向に挿入することにより、スライドガイド１５０は、さらに本体上段部１２２側に移動し、第１のメモリカード１０の先端部分とスライドガイド１５０の接触部１５３とが離れ、第１のメモリカード１０が、本体下段部１２１の内部に挿入される。これにより、第１のメモリカードの１０の電極端子１１は、本実施の形態におけるメモリカード用コネクタの第１の接続端子１３１と接触し電気的に接続される。尚、電極端子１１はバネ性を有しており、さらに矢印Ｇに示す方向に挿入することにより、電極端子１１により第１の接続端子１３１が押さえつけるように接続されるため、第１のメモリカードの１０の電極端子１１とメモリカード用コネクタの第１の接続端子１３１との接続をより確実なものとすることができる。
【００６０】
また、本実施の形態におけるメモリカード用コネクタより、第１のメモリカード１０を引く抜くことにより取り外すことができる。この際、第１のメモリカード１０が挿入されている状態では、本体上段部１２２側に位置していたスライドガイド１５０は、第１のメモリカード１０を引き抜くことにより、バネ部１４３により押されて、本体下段部１２１側に、傾斜部１３６及び１３５に沿って移動する。これにより、スライドガイド１５０は本体下段部１２１側に位置するものとなる。
【００６１】
〔第３の実施の形態〕
次に、第３の実施の形態について説明する。本実施の形態は、第１及び第２の実施形態と異なる２種類のメモリカードに対応したメモリカード用コネクタである。
【００６２】
最初に、図１（ｂ）及び図２５に基づき本実施の形態におけるメモリカード用コネクタに装着されるメモリカードについて説明する。本実施の形態におけるメモリカード用コネクタに装着されるメモリカードは、図１（ｂ）に示す第２のメモリカードと、図２５（ａ）に示す第３のメモリカードである。
【００６３】
図１（ｂ）に示す第２のメモリカード２０は、メモリースティックＤｕｏ（商標）であり、幅Ｗ２が２０ｍｍ、長さＬ２が３１ｍｍ、厚さＴ２が１．６ｍｍの形状のものである。また第２のメモリカード２０の差込方向の先端側には電極端子２１が配列されている。
【００６４】
図２５（ａ）に示す第３のメモリカード２１０は、ｍｉｃｒｏＳＤカード（商標）であり、幅Ｗ３が１１ｍｍ、長さＬ３が１５ｍｍ、厚さＴ３が１．０ｍｍの形状のものである。また第３のメモリカード２１０の差込方向の先端側には不図示の電極端子が配列されている。
【００６５】
図２５（ｂ）は、第２のメモリカード２０及び第３のメモリカード２１０の幅、長さ、厚さを示す図である。幅、長さ、厚さの全てにおいて、第２のメモリカード２０よりも第３のメモリカード２１０の方の値が小さく、第２のメモリカード２０と第３のメモリカード２１０とは異なる形状のメモリカードである。
【００６６】
図２６から図３０に基づき説明する。本実施の形態におけるメモリカード用コネクタは、第２のメモリカード２０が挿入される第１のコネクタ２３０内に第２のコネクタ２４０を有している。第１のコネクタ２３０には第１本体部２３１に接続される第１カバー２３２が設けられており、第２のメモリカード２０における電極端子２１と接続するための接続端子２３３が設けられている。また、第２のコネクタ２４０には第２の本体部２４１に接続される第２カバー２４２が設けられており、第３のメモリカード２１０における不図示の電極端子と接続するための接続端子２４３が設けられている。
【００６７】
尚、図２６は、本実施の形態におけるメモリカード用コネクタの斜視図であり、図２７は、第１カバー２３２を取り外した状態の斜視図であり、図２８が、第２カバー２４２を取り外した状態の斜視図であり、図２９は、第１本体部２３１と第２本体部２４１とを示す斜視図であり、図３０は、図２９の裏面からの斜視図である。
【００６８】
本実施の形態におけるメモリカード用コネクタでは、第２カバー２４２が金属材料により形成されているため、本実施の形態におけるメモリカード用コネクタに、第２のメモリカード２０と第３のメモリカード２１０とが同時に差込まれ接続されている場合であっても、第２カバー２４２により電磁的に遮蔽されるため、メモリカード用コネクタを介した通信の際の相互のクロストークを防ぐことができる。
【００６９】
また、本実施の形態におけるメモリカード用コネクタでは、第２のメモリカード２０と第３のメモリカード２１０とを同時に差込んだ状態において、差込まれた側と反対側におけるメモリカード用コネクタからの第２のメモリカード２０の高さと、メモリカード用コネクタからの第３のメモリカード２１０の高さとが略同じ高さとなるように構成されている。即ち、メモリカード用コネクタからの第２のメモリカード２０の高さと、メモリカード用コネクタからの第３のメモリカード２１０の高さとが略同じ高さとなるように、接続端子２３３及び接続端子２４３とが配置されている。
【００７０】
以上、本発明の実施に係る形態について説明したが、上記内容は、発明の内容を限定するものではない。
【符号の説明】
【００７１】
１０    第１のメモリカード
１１    電極端子
２０    第２のメモリカード
２１    電極端子
３０    本体部
３１    接続端子
３２    接続端子
３３    ロック部
３４    開口部
３５    回転ガイド受け部
４０    カバー
４１    開口部
４２    回転ガイド支持部
４３    接触部
４４    傾斜部
５０    回転ガイド
５１    筒状部
５２    曲部
５３    屈曲部
【図１】
2010267601.tif 000003
【図２】
2010267601.tif 000004
【図３】
2010267601.tif 000005
【図４】
2010267601.tif 000006
【図５】
2010267601.tif 000007
【図６】
2010267601.tif 000008
【図７】
2010267601.tif 000009
【図８】
2010267601.tif 000010
【図９】
2010267601.tif 000011
【図１２】
2010267601.tif 000012
【図１３】
2010267601.tif 000013
【図１４】
2010267601.tif 000014
【図１５】
2010267601.tif 000015
【図１６】
2010267601.tif 000016
【図１７】
2010267601.tif 000017
【図１８】
2010267601.tif 000018
【図１９】
2010267601.tif 000019
【図２０】
2010267601.tif 000020
【図２１】
2010267601.tif 000021
【図２２】
2010267601.tif 000022
【図２３】
2010267601.tif 000023
【図２４】
2010267601.tif 000024
【図２５】
2010267601.tif 000025
【図３０】
2010267601.tif 000026
【図１０】
2010267601.tif 000027
【図１１】
2010267601.tif 000028
【図２６】
2010267601.tif 000029
【図２７】
2010267601.tif 000030
【図２８】
2010267601.tif 000031
【図２９】
2010267601.tif 000032